(57)【要約】【課題】框ドアの結合部を嵌め合いとすることにより、ドア自体の気密性を保つことができ、尚且つ組立性の良いドアを有したエアシャワー装置を提供する。框ドアの寸法が大きくなる場合は、ガラス板が大きくする必要があり、そのため、ガラス等が割れる心配やドア及びガラス板の強度、ガラス板面積増大によるパッキン部からのリークの心配があった。【解決手段】前記課題に対し、框ドアの縦框を分割可能、すなわち中間縦框の追加によりガラス板の面積を少なくし、強度を保持し、ガラス板押えパッキンや框の接合面からの塵埃漏れを抑止でき、また、縦框の分割面を嵌め合いとすることにより機密性を向上し、塵埃漏れの防止、及び作業性の向上が図れた。【選択図】  図２
2011069079.tif 000002
【特許請求の範囲】
【請求項１】
アルミニウム、プラスチック等の引抜材で製造した框ドアを用いたエアシャワー装置であって、
該框ドアは、縦框、横框及びガラス板よりなり、該縦框は、縦框と中間縦框に分割可能であり、
前記縦框、中間縦框及び横框はスライドして嵌合し、該ガラス板は該框の端部に設けたパッキンにより固定したことを特徴とする框ドアを有したエアシャワー装置。
【請求項２】
請求項１記載のエアシャワー装置において、
前記框ドアの縦框の両側の嵌合する端部は雌型形状をし、
前記中間縦框の端部は、一方が雌型で他方が雄型形状であることを特徴とする框ドアを有したエアシャワー装置。
【請求項３】
請求項２記載のエアシャワー装置において、
前記框ドアの端部の雄型形状は、断面において凹部形状を成し、該凹部内に平板状の突起を設けた形状で、
前記框ドアの雄型形状に対応する雌型形状は、断面においてΠ形状で両側に溝を設けた形状を成し、該溝に前記平板状の突起が嵌め合うようにしたことを特徴とする框ドアを有したエアシャワー装置。
【発明の詳細な説明】
【技術分野】
【０００１】
本発明は、アルミニウム、プラスチック等の引抜材により製作された框ドアを有したエアシャワー装置に関する。
【０００２】
エアシャワー装置は、半導体及び精密機械等の製造、又は食品の製造・加工を行なうクリーンルーム又は作業室の出入り口に設置され、クリーンルーム及び作業室の通路又は前室として使用され、クリーンルーム又は作業室へ塵埃の流入、持込を防止するための装置である。
【背景技術】
【０００３】
半導体及び精密機械等を製造するクリーンルーム又は作業室は、室内の清浄度を保つ為に室内を室外よりも約２０Ｐａの高圧としている。その間に設置されるエアシャワーには、塵埃のリークを防ぐ為の密閉度が要求される。従来は、表面に継ぎ目のないフラッシュタイプのドアが用いられていた。しかし、ドア寸法が変更になる際は、ハニカム及びアルミ板の大きさを変化させる必要があり、部材寸法よりも大きい物は接合等の対応が必要であるなどの課題があった。
【０００４】
また、エアシャワー装置用ではないが、特許文献（特開平８-１４４６５２号公報）に揚げているように、縦框と横框の組合せにより構成されている框ドアは、框の接合部及びガラス板押えパッキン部からのリークの可能性があった。また、寸法を変更する際は、幅寸法の違う框を使う、又はガラス板（外に鏡板、アクリル、鋼板等）の大きさを変化させて対応する。そのため、注文が入った後に各部材を加工する必要があり、製造に時間が掛かっていた。
【先行技術文献】
【特許文献】
【０００５】
【特許文献１】特開平８−１４４６５２号公報
【発明の概要】
【発明が解決しようとする課題】
【０００６】
一般的な框ドアの構造は、縦框及び横框をねじ止め等により固定している。寸法が変化した場合は縦框、横框、ガラス板の寸法変化により実施するが、框は引抜材であるため、框の長さ及びガラス板の寸法変更で対応することが多かった。その場合、ガラス板面積が大きくなり、パッキン長さ増大による塵埃漏れの可能性が高くなってしまっていた。また、ガラス板が大きくなると、ガラス等が割れる心配や、固定部分が同一である為ドアとしての強度が不足する恐れもあった。
【０００７】
本発明は、上記の課題を解決するため、框ドアの高さ方向や幅方向の寸法が変更になった場合、容易に対応でき、また、縦框や横框の合わせ面の気密性を向上した框ドアを有したエアシャワー装置を提供することを目的とする。
【課題を解決するための手段】
【０００８】
本発明は、上記目的を達成するため、アルミニウム、プラスチック等の引抜材で製造した框ドアを用いたエアシャワー装置であって、該框ドアは、縦框、横框及びガラス板よりなり、該縦框は、縦框と中間縦框に分割可能であり、前記縦框、中間縦框及び横框はスライドして嵌合し、該ガラス板は該框の端部に設けたパッキンにより固定したことを特徴とする。
【０００９】
また、前記框ドアの縦框の両側の嵌合する端部は雌型形状をし、前記中間縦框の端部は、一方が雌型で他方が雄型形状であることを特徴とする。
【００１０】
さらに、前記框ドアの端部の雄型形状は、断面において凹部形状を成し、該凹部内に平板状の突起を設けた形状で、前記框ドアの雄型形状に対応する雌型形状は、断面においてΠ形状で両側に溝を設けた形状を成し、該溝に前記平板状の突起が嵌め合うようにしたことを特徴とする。
【発明の効果】
【００１１】
本発明の框ドアは、約20Paの気圧差においても気密性を保つことができ、塵埃漏れを防ぐことができる。また、組立作業性としては、縦框・横框等の框を用意しておき、注文が入り次第、框の長さを調整し鏡板を所定の寸法に加工するだけでよいので、納期短縮が実現できる。そして、完成品に手動部品・自動部品等を取り付けることにより、種々のドアが出来上がる。アルミ又はプラスチック等の引抜材を用いることにより、気密性だけでなく、材料からの発塵防止・軽量化・加工精度の向上も図れる。
【００１２】
また、框の嵌め合いにより強度を持たせるため、ねじ等の接合部材を減らすことができる。
【００１３】
見た目としても、上下２分割とならないため、帯状のガラス窓等を取り付けることができ、デザイン性も兼ね備えた構造である。
【図面の簡単な説明】
【００１４】
【図１】本発明のエアシャワー装置の外観を現す斜視図である。
【図２】本発明のエアシャワー装置の框ドアの斜視図である。
【図３】本発明の図２の框ドアのＡ−Ａ断面図である。
【図４】本発明の図２の框ドアのＢ−Ｂ断面図である。
【図５】本発明の図４のＡ部の部分拡大図である。
【図６】本発明の図２の框ドアのＣ−Ｃ断面図である。
【図７】本発明の框ドアを自動ドアに設けた場合の斜視図である。
【図８】本発明の框ドアの縦框と中間縦框の嵌合部を示す図である。
【図９】本発明の框ドアの縦框と中間縦框の嵌合部の他の実施例を示す図である。
【図１０】本発明の框ドアの縦框と中間縦框の嵌合部の他の実施例を示す図である。
【図１１】本発明の框ドアの他の実施例を示す図である。
【図１２】本発明の図１１のＤ−Ｄ断面を示す図である。
【図１３】本発明の框ドアの他の実施例を示す図である。
【図１４】本発明の図１３のＥ−Ｅ断面を示す図である。
【図１５】本発明の間口の高い框ドアの断面図を示す。
【図１６】本発明の間口の広い框ドアの断面図を示す。
【図１７】本発明の框ドアの縦框と薄いガラス板との嵌合を示す部分拡大図を示す。
【図１８】本発明の框ドアの縦框と厚いガラス板との嵌合を示す部分拡大図を示す。
【発明を実施するための形態】
【００１５】
以下、本発明の実施形態について、図を用いて説明する。
【実施例１】
【００１６】
図1は、本発明の框ドアを有したエアシャワー装置を示す。図1において、１はエアシャワー装置全体で、２が框ドア、３は框ドア２の中央部に設けられたガラス板で、シャワー室６内が見通せるようになっている。シャワー室６内の壁面には清浄空気を吹き出す吹出しノズル７が複数個設置されている。
【００１７】
図２は、本発明のエアシャワー装置の框ドア２の斜視図である。図２において、１０は框ドア２の両側の縦框で、１１は縦框１０のそれぞれ内側に設けた中間縦框で、１２は框ドア１０の上下に設けた横框である。
【００１８】
上下の横框２の間及び中間縦框１１の間にはガラス板３を設けている。ここで、ガラス板３の箇所には、外に鋼板、鏡板又はアクリル板を設けても良い。一般に、エアシャワー装置の場合はシャワー室内が見通せるようにガラス板が多い。
【００１９】
また、框ドア２の左右側のどちらか一方の端部には蝶番５を設置し、エアシャワー装置の入口に固定し、ドアが開閉できるように構成されている。４はドアハンドルで、蝶番５の反対側の位置で、高さがほぼ９３０ｍｍ程度に設置される。
【００２０】
また、ここで、ドアの寸法について記載する。ドアの横幅は一般に８００ｍｍ、高さは１９００ｍｍである。
【００２１】
次に框ドアの各部の断面について説明する。
【００２２】
図３は、框ドア２の中央部の縦断面、すなわち図２のＡ−Ａ断面図である。図３において、上側及び下側は横框１２で、矩形形状を有し、中は空洞である。また、横框１２の内側はガラス板３を固定するようにテーパ形状の凹部を有した構造となっており、ここにガラス板押さえパッキン１５を挿入し、ガラス板３を固定する。ここで框ドアの材質は、アルミニウムやプラスチックを用いている。また、ガラス板押さえパッキンはゴム状のものを用いている。
【００２３】
図４は、框ドア２の中央部の横断図、すなわち図２のＢ−Ｂ断面図を示す。ここで、図４は横断面図を縦に示しており、上がドア右側を示し、下側がドア左側を示している。図４において、上下側すなわち左右の両側は縦框１０で、それぞれ内側に中間縦框１１を配置し、各々の中間縦框１１でガラス板３を固定する。
【００２４】
縦框１０と中間縦框１１との嵌合については、図５を用いて説明する。
【００２５】
図４において、縦框１０のそれぞれの端面には縦框カバー１４を設置する。縦框端面の構造は、両端とも雌型構造で、表裏の面が突き出して凹部を形成し、その凹部内に平板の突起が表裏面から突き出して所定の間隙を有した構造となっている。
【００２６】
縦框カバー４は、この構造に嵌め込むように両側に溝を有したΠ型形状となっており、この溝に縦框の突起が嵌合するようになっている。縦框カバー１４は、縦框１０の上部より挿入してスライドして嵌め込む。
【００２７】
また、中間縦框１５の構造は、ガラス板を固定する方が雌型で、縦框と嵌合する方が雄型となっている。
【００２８】
ガラス板３の固定は、中間縦框１１の端部の構造が雌型で、縦框１０の端部と同じ構造をしており、端部の凹部にガラス板押さえパッキン１５を設けて固定する。
【００２９】
図５は、図４のＡ部の部分拡大図である。図５（ａ）は、中間縦框１１との嵌合する縦框１０の端部の断面構造で、図５（ｂ）は縦框１０と嵌合する中間縦框１１の端部の断面図である。縦框１０の端部は、表裏面が延長され、凹部１６（実際は紙面に対し垂直方向の溝）を形成し、凹部１６内に表裏面より平板状の突起１７を所定の間隙１８を有して設ける。また、中間縦框１１の端部の構造は、Π型形状で両側に溝２０を有した構造である。ここで、縦框１０の凹部の平板状突起と中間縦框１１の溝２０は嵌め合うため、この面接触状態すなわち密着性や接触面積により機密性が異なってくる。これについては後述する。
【００３０】
図６は、図２のＣ−Ｃ断面図で、横断面を縦に表示している。従って、図６の上側が図２の右側となり、図６の下側が図２の左側になる。図６の上下側、すなわち框ドアの左右側は縦框１０で、その内側に中間縦框１１が配置され、中央に横框１２が配置される。中間縦框１１と横框１２の嵌合は、中間縦框１１の端部が凹部形状で、横框１２は凸部形状であり、横框１２の凸部を中間縦框１１の凹部に嵌め込むことにより組み込む。図６と図４にて、中間縦框１１の内側の構造が異なる。ガラス板３を設置する箇所の端部は、凹部１６内に平板状の突起１７を持たせ、横框１２がある箇所の端部は平板状の突起１７は設けない。
【００３１】
図７は、本発明の框ドア２を自動ドアに設けた場合の自動ドアタイプの斜視図を示す。図７において、２１は吊り金具で、このような構成では、ドアハンドル、蝶番およびラッチを無くすことができ、作業者はドアハンドルに触ることなく出入りが可能となる。
【００３２】
次に、図８、図９及び図１０に、縦框１０と中間縦框１１との嵌合について説明する。
【００３３】
図８は、図５に示した縦框と中間縦框を嵌合した部分拡大断面図を示している。すなわち、縦框１０の凹部１６に設けた平板状の突起１７に、中間縦框１１のΠ形状の両側の溝２０が平板状の突起１７に嵌着され、Π形状の平坦部１９が平板状の突起１７の半分くらい接触している場合である。この場合、約２０Ｐａの圧力差においても機密性が保たれた。さらに図９に示した縦框１０と中間縦框１１の嵌合であれば、中間框のΠ形状の平坦部２２と縦框の平板状の突起１７とをほぼ接触させ、接触面積を増加させているため機密性はさらに向上する。
【００３４】
また、図１０は、中間縦框１１の端部の構造が、縦框の端部の凹部に差し込む構造で、Π形状ではなくテーパ形状を有して嵌め合いもスライドタイプとは異なる。すなわち中間縦框の端部は、縦框の凹部の平板状の突起１７の間隙１８に差し込み易いように先端が尖ったテーパ形状として差し込んだら外れないように、突起１７の幅と同じ溝を設けている。このような図１０の構成では、縦框と中間縦框の嵌合の接触面積が図８，図９の場合より小さくなるため、機密性は劣ることになるが、作業性が向上する。
【００３５】
次に、ドアの間口が狭い場合の框ドアについて図１１に斜視図を示し、その断面図を図１２に示す。
図１１は、図２の框ドアと比較して中間縦框をなくした構成になっている。図１２に図１１のＤ−Ｄ断面図を示す。図１１の縦框１０がドアの両側に設けられているが、図１２は横断面を縦に表しているため、上側がドアの右側で、下側がドアの左側である。図１２において、ガラス板３は縦框１０の内側の凹部にガラス板押さえパッキン１５を設け、ガラス板３を固定する。このようにドア間口が狭いドアについては、中間縦框をなくすことで対応が取れ、作業性が向上する。
【００３６】
次に、図１３はドアの間口が狭いドアにおいて、ガラス板ではなく、横框２４を設置した場合を示す。図１３の框ドアの横断面であるＥ−Ｅ断面を図１４に示す。図１３及び図１４において、ドア間口が狭いため、図２に示した中間縦框をなくし、幅の狭いドアに対応している。図１３はドア中央部はガラス板ではなく、塞いだドア、例えば鏡面等を設置した場合を示し、横框２４の構造としている。従って、この横框２４の両端部は、Π形状を有し、縦框１０と図８のような嵌合となっている。
【００３７】
次に、ドアの高さが高い場合の框ドアについて、框ドアの斜視図は省略しているが、図１５にその中央部の縦方向の断面図を示す。図１５において、ドア上下の横框１２の間に横框２５を追加し、ガラス板３を増加し、高さの調整を行っている。中央の横框２５の上下の端部は、先端が尖ったテーパ形状で、且つ凹部を有し、ガラス押さえパッキン１５を設置しガラス板３を固定するようになっている。
【００３８】
次に、ドアの間口が広い場合の框ドアについて、図１６に框ドアの横方向の断面図を示す。図１６は、間口の広いドアに対応して中央に縦框を１段追加し、ガラス板３を中央の縦框の両側に設けた場合を示している。ガラス板３の固定は、上記の通り端部の凹部にガラス板押さえパッキン１５を設置し、ガラス板３を固定している。また、図１６の構成と異なる方法として、中間縦框を追加して、ドア間口が広いドアに対応することも可能である。
【００３９】
次に、框ドア２のガラス板の厚みが異なった場合の固定について、図１７及び図１８を用いて説明する。
【００４０】
図１７及び図１８は、縦框にガラス板が固定された状態の部分拡大断面図で、図１７はガラス板３が薄い場合で、図１８はガラス板３が厚い場合を示している。ガラス板が薄い場合はガラス押さえパッキン１５の量を減らし、厚い場合はその量を増加し、対応する。ガラス板押さえパッキンの形状も図１７及び図１８は同じ形状であるが、変更することも可能である。ここではガラス板について述べたが、外に強化ガラス、網入りガラス、アクリル板、鏡板又は鋼板を取り付ける場合でもパッキンを変えるだけで対応が可能である。
【符号の説明】
【００４１】
１・・・エアシャワー装置
２・・・框ドア
３・・・ガラス板
４・・・ドアハンドル
５・・・蝶番
１０・・・縦框
１１・・・中間縦框
１２・・・横框
１４・・・縦框カバー
１５・・・ガラス板押さえパッキン
１６・・・縦框凹部
１７・・・平板状突起
１８・・・間隙
１９・・・Π形状嵌合部
２０・・・溝
２１・・・吊り金具
【図１】
2011069079.tif 000003
【図２】
2011069079.tif 000004
【図３】
2011069079.tif 000005
【図４】
2011069079.tif 000006
【図５】
2011069079.tif 000007
【図６】
2011069079.tif 000008
【図７】
2011069079.tif 000009
【図８】
2011069079.tif 000010
【図９】
2011069079.tif 000011
【図１０】
2011069079.tif 000012
【図１１】
2011069079.tif 000013
【図１２】
2011069079.tif 000014
【図１３】
2011069079.tif 000015
【図１４】
2011069079.tif 000016
【図１５】
2011069079.tif 000017
【図１６】
2011069079.tif 000018
【図１７】
2011069079.tif 000019
【図１８】
2011069079.tif 000020